【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
装置であって、
第１の周波数バンドに同調された第１のパス、
第２の周波数バンドに同調された第２のパス、および
前記第１のパスに結合された第１の入力および前記第２のパスに結合された第２の入力を有し、ならびに前記第２のパスに結合された第１の出力および前記第１のパスに結合された第２の出力を有する、クロスカップルされた回路構成
を備え、ここにおいて、前記クロスカップルされた回路構成は、
第１のセットのトランジスタ、前記第１のセットのトランジスタのうちの第１のトランジスタは、前記第１のパスに結合されたゲートを有し、および前記第１のセットのトランジスタのうちの第２のトランジスタは、前記第２のパスに結合されたドレインを有する、ならびに
第２のセットのトランジスタ、前記第２のセットのトランジスタのうちの第１のトランジスタは、前記第２のパスに結合されたゲートを有し、および前記第２のセットのトランジスタのうちの第２のトランジスタは、前記第１のパスに結合されたドレインを有する、
を備える、装置。
【請求項２】
前記第１のパス、前記第２のパス、および前記クロスカップルされた回路構成は、低雑音増幅器に含まれる、請求項１に記載の装置。
【請求項３】
前記第１のセットのトランジスタのうちの前記第１のトランジスタは、信号を受信し、前記信号をおよそ１８０度位相シフトするように構成される、請求項１に記載の装置。
【請求項４】
前記第１のセットのトランジスタのうちの前記第１のトランジスタおよび前記第２のセットのトランジスタのうちの前記第１のトランジスタは、共通ソーストランジスタである、請求項１に記載の装置。
【請求項５】
前記第１のパスに結合された第１の誘導性−容量性（ＬＣ）回路をさらに備え、ここにおいて、前記第１のＬＣ回路は、前記第１の周波数バンド内の周波数において共振する、請求項１に記載の装置。
【請求項６】
前記第１のＬＣ回路の第１のインダクタは、第１の変圧器に含まれる、請求項５に記載の装置。
【請求項７】
前記第２のパスに結合された第２の誘導性−容量性（ＬＣ）回路をさらに備え、ここにおいて、前記第２のＬＣ回路は、前記第２の周波数バンド内の周波数において共振する、請求項１に記載の装置。
【請求項８】
前記第２のＬＣ回路の第２のインダクタは、第２の変圧器に含まれる、請求項７に記載の装置。
【請求項９】
第３の周波数バンドに同調された第３のパス、
前記第２のパスに結合された第１の入力および前記第３のパスに結合された第２の入力を有し、ならびに前記第３のパスに結合された第１の出力および前記第２のパスに結合された第２の出力を有する、第２のクロスカップルされた回路構成、および
前記第１のパスに結合された第１の入力および前記第３のパスに結合された第２の入力を有し、ならびに前記第３のパスに結合された第１の出力および前記第１のパスに結合された第２の出力を有する、第３のクロスカップルされた回路構成
をさらに備える、請求項１に記載の装置。
【請求項１０】
前記第３のパスに結合された第３の誘導性−容量性（ＬＣ）回路をさらに備え、ここにおいて、前記第３のＬＣ回路は、前記第３の周波数バンド内の周波数において共振する、請求項９に記載の装置。
【請求項１１】
前記第１の周波数バンドおよび前記第２の周波数バンドは、電気電子技術者協会（ＩＥＥＥ）８０２．１１規格に準拠する、請求項１に記載の装置。
【請求項１２】
前記第１のパスに結合されおよび前記第２のパスに結合されたドレインを有するトランジスタ、および
無線周波数（ＲＦ）信号を受信するように構成された入力および前記トランジスタのゲートに結合された出力を有するデュアルバンド整合ネットワーク
をさらに備える、請求項１に記載の装置。
【請求項１３】
前記第１のパスに結合されたドレインを有する第１のトランジスタ、
前記第２のパスに結合されたドレインを有する第２のトランジスタ、および
無線周波数（ＲＦ）信号を受信するように構成された入力ならびに前記第１のトランジスタのゲートにおよび前記第２のトランジスタのゲートに結合された出力を有するデュアルバンド整合ネットワーク
をさらに備える、請求項１に記載の装置。
【請求項１４】
方法であって、
第１の周波数バンドに同調された第１のパスにおいて第１の信号コンポーネントを増幅すること、
第２の周波数バンドに同調された第２のパスにおいて第２の信号コンポーネントを増幅すること、および
前記第１のパスに結合された第１の入力および前記第２のパスに結合された第２の入力を有し、ならびに前記第２のパスに結合された第１の出力および前記第１のパスに結合された第２の出力を有する、クロスカップルされた回路構成において、１つまたは複数の干渉キャンセレーション信号を発生させること
を備え、ここにおいて、前記クロスカップルされた回路構成は、
第１のセットのトランジスタ、前記第１のセットのトランジスタのうちの第１のトランジスタは、前記第１のパスに結合されたゲートを有し、および前記第１のセットのトランジスタのうちの第２のトランジスタは、前記第２のパスに結合されたドレインを有する、ならびに
第２のセットのトランジスタ、前記第２のセットのトランジスタのうちの第１のトランジスタは、前記第２のパスに結合されたゲートを有し、および前記第２のセットのトランジスタのうちの第２のトランジスタは、前記第１のパスに結合されたドレインを有する、
を備える、方法。
【請求項１５】
前記第１の周波数バンドは、２．４ギガヘルツ（ＧＨｚ）の周波数バンドであり、ここにおいて、前記第２の周波数バンドは、５．６ＧＨｚの周波数バンドであり、ここにおいて、前記干渉キャンセレーション信号のうちの第１の干渉キャンセレーション信号は、第１の周波数コンポーネントを実質的にキャンセルするために前記第１の信号コンポーネントと組み合わされ、および、ここにおいて、前記干渉キャンセレーション信号のうちの第２の干渉キャンセレーション信号は、第２の周波数コンポーネントを実質的にキャンセルするために前記第２の信号コンポーネントと組み合わされる、請求項１４に記載の方法。
【手続補正２】
【補正対象書類名】明細書
【補正対象項目名】００７５
【補正方法】変更
【補正の内容】
【００７５】
[0080]  開示された実施形態の先の説明は、当業者が開示された実施形態を製造または使用することを可能にするために提供される。これらの実施形態への様々な修正は、当業者に容易に明らかとなり、本明細書で定義された原理は、開示の範囲から逸脱することなしに他の実施形態に適用され得る。したがって、本開示は、本明細書に示された実施形態に限定されるようには意図されず、下記の特許請求の範囲によって定義されるような原理および新規な特徴と一致する見込まれる最も広い範囲を与えられることになる。
以下に本願の出願当初の特許請求の範囲に記載された発明を付記する。
［Ｃ１］
装置であって、
第１の周波数バンドに同調された第１のパス、
第２の周波数バンドに同調された第２のパス、および
前記第１のパスに結合された第１の入力および前記第２のパスに結合された第２の入力を有し、ならびに前記第２のパスに結合された第１の出力および前記第１のパスに結合された第２の出力を有する、クロスカップルされた回路構成
を備える、装置。
［Ｃ２］
前記第１のパス、前記第２のパス、および前記クロスカップルされた回路構成は、低雑音増幅器に含まれる、Ｃ１に記載の装置。
［Ｃ３］
前記クロスカップルされた回路構成は、
第１のペアのトランジスタ、前記第１のペアのトランジスタのうちの第１のトランジスタは、前記第１のパスに結合されたゲートを有し、および前記第１のペアのトランジスタのうちの第２のトランジスタは、前記第２のパスに結合されたドレインを有する、ならびに
第２のペアのトランジスタ、前記第２のペアのトランジスタのうちの第１のトランジスタは、前記第２のパスに結合されたゲートを有し、および前記第２のペアのトランジスタのうちの第２のトランジスタは、前記第１のパスに結合されたドレインを有する、
を備える、Ｃ１に記載の装置。
［Ｃ４］
前記第１のペアのトランジスタのうちの前記第１のトランジスタおよび前記第２のペアのトランジスタのうちの前記第１のトランジスタは、共通ソーストランジスタである、Ｃ３に記載の装置。
［Ｃ５］
前記第１の周波数バンドは、２．４ギガヘルツ（ＧＨｚ）の周波数バンドであり、および、ここにおいて、前記第２の周波数バンドは、５．６ＧＨｚの周波数バンドである、Ｃ１に記載の装置。
［Ｃ６］
前記第１のパスに結合された第１の誘導性−容量性（ＬＣ）回路をさらに備え、ここにおいて、前記第１のＬＣ回路は、前記第１の周波数バンド内の周波数において共振する、Ｃ１に記載の装置。
［Ｃ７］
前記第１のＬＣ回路の第１のインダクタは、第１の変圧器に含まれる、Ｃ６に記載の装置。
［Ｃ８］
前記第２のパスに結合された第２の誘導性−容量性（ＬＣ）回路をさらに備え、ここにおいて、前記第２のＬＣ回路は、前記第２の周波数バンド内の周波数において共振する、Ｃ１に記載の装置。
［Ｃ９］
前記第２のＬＣ回路の第２のインダクタは、第２の変圧器に含まれる、Ｃ８に記載の装置。
［Ｃ１０］
第３の周波数バンドに同調された第３のパス、
前記第２のパスに結合された第１の入力および前記第３のパスに結合された第２の入力を有し、ならびに前記第３のパスに結合された第１の出力および前記第２のパスに結合された第２の出力を有する、第２のクロスカップルされた回路構成、および
前記第１のパスに結合された第１の入力および前記第３のパスに結合された第２の入力を有し、ならびに前記第３のパスに結合された第１の出力および前記第１のパスに結合された第２の出力を有する、第３のクロスカップルされた回路構成
をさらに備える、Ｃ１に記載の装置。
［Ｃ１１］
前記第３の周波数バンドは、８００メガヘルツ（ＭＨｚ）の周波数バンドである、Ｃ１０に記載の装置。
［Ｃ１２］
前記第３のパスに結合された第３の誘導性−容量性（ＬＣ）回路をさらに備え、ここにおいて、前記第３のＬＣ回路は、前記第３の周波数バンド内の周波数において共振する、Ｃ１０に記載の装置。
［Ｃ１３］
前記第１の周波数バンドおよび前記第２の周波数バンドは、電気電子技術者協会（ＩＥＥＥ）８０２．１１規格に準拠する、Ｃ１に記載の装置。
［Ｃ１４］
前記第１のパスに結合されおよび前記第２のパスに結合されたドレインを有するトランジスタ、および
無線周波数（ＲＦ）信号を受信するように構成された入力および前記トランジスタのゲートに結合された出力を有するデュアルバンド整合ネットワーク
をさらに備える、Ｃ１に記載の装置。
［Ｃ１５］
前記第１のパスに結合されたドレインを有する第１のトランジスタ、
前記第２のパスに結合されたドレインを有する第２のトランジスタ、および
無線周波数（ＲＦ）信号を受信するように構成された入力ならびに前記第１のトランジスタのゲートにおよび前記第２のトランジスタのゲートに結合された出力を有するデュアルバンド整合ネットワーク
をさらに備える、Ｃ１に記載の装置。
［Ｃ１６］
装置であって、
第１の信号コンポーネントを増幅するための手段、ここにおいて、前記第１の信号コンポーネントを増幅するための前記手段は、第１の周波数バンドに同調される、
第２の信号コンポーネントを増幅するための手段、ここにおいて、前記第２の信号コンポーネントを増幅するための前記手段は、第２の周波数バンドに同調される、
前記第１の信号コンポーネントを増幅するための前記手段に結合された第１の入力および前記第２の信号コンポーネントを増幅するための前記手段に結合された第２の入力を有し、ならびに前記第２の信号コンポーネントを増幅するための前記手段に結合された第１の出力および前記第１の信号コンポーネントを増幅するための前記手段に結合された第２の出力を有する、１つまたは複数のキャンセレーション信号を発生させるための手段
を備える、装置。
［Ｃ１７］
前記第１の信号コンポーネントを増幅するための前記手段、前記第２の信号コンポーネントを増幅するための前記手段、および１つまたは複数のキャンセレーション信号を発生させるための前記手段は、低雑音増幅器に含まれる、Ｃ１６に記載の装置。
［Ｃ１８］
前記第１の周波数バンドは、２．４ギガヘルツ（ＧＨｚ）の周波数バンドであり、および、ここにおいて、前記第２の周波数バンドは、５．６ＧＨｚの周波数バンドである、Ｃ１６に記載の装置。
［Ｃ１９］
方法であって、
第１の周波数バンドに同調された第１のパスにおいて第１の信号コンポーネントを増幅すること、
第２の周波数バンドに同調された第２のパスにおいて第２の信号コンポーネントを増幅すること、および
前記第１のパスに結合された第１の入力および前記第２のパスに結合された第２の入力を有し、ならびに前記第２のパスに結合された第１の出力および前記第１のパスに結合された第２の出力を有する、クロスカップルされた回路構成において、１つまたは複数のキャンセレーション信号を発生させること
を備える、方法。
［Ｃ２０］
前記第１の周波数バンドは、２．４ギガヘルツ（ＧＨｚ）の周波数バンドであり、および、ここにおいて、前記第２の周波数バンドは、５．６ＧＨｚの周波数バンドである、Ｃ１９に記載の方法。